(57)【要約】  本発明は、店舗で販売される商品と、店舗に備えられている表示システムの商品陳列画面において商品の画像である商品画像を表示する位置と、を示す商品陳列情報を、店舗に供給することを特徴とする。
2018020658.tif 000002
【特許請求の範囲】
【請求項１】
店舗で販売される商品と、前記店舗に備えられている表示システムの商品陳列画面において前記商品の画像である商品画像を表示する位置と、を示す商品陳列情報を、前記店舗に供給する
ことを特徴とする情報供給方法。
【請求項２】
前記商品陳列画面における領域であって、前記商品のカテゴリである商品カテゴリが関連づけられた領域であるカテゴリ領域は、前記商品陳列情報を供給する前に予め設定されている
ことを特徴とする請求項１に記載の情報供給方法。
【請求項３】
前記商品陳列情報は、少なくとも前記カテゴリ領域に基づいて生成される
ことを特徴とする請求項２に記載の情報供給方法。
【請求項４】
前記商品陳列画面には、複数の前記カテゴリ領域が設定され、
前記商品陳列情報が示す前記商品のカテゴリは、前記商品陳列画面に設定された複数の前記カテゴリ領域のいずれかに関連づけられた前記商品カテゴリである
ことを特徴とする請求項２または請求項３に記載の情報供給方法。
【請求項５】
前記商品陳列画面は、前記表示システムが有する複数の表示装置の各々の表示画面から構成されている
ことを特徴とする請求項２から請求項４のいずれか一項に記載の情報供給方法。
【請求項６】
前記商品陳列情報は、前記商品画像を表示する位置として、前記複数の表示装置のいずれかと、前記表示画面における位置と、を示す
ことを特徴とする請求項５に記載の情報供給方法。
【請求項７】
前記商品陳列画面には、複数の前記カテゴリ領域が、それぞれ予め所定の時間帯毎に設定されている
ことを特徴とする請求項２から請求項４のいずれか一項に記載の情報供給方法。
【請求項８】
前記商品陳列情報を、少なくとも前記所定の時間帯毎に前記店舗に供給する
ことを特徴とする請求項７に記載の情報供給方法。
【請求項９】
前記商品陳列画面には、複数の個別領域が、前記商品陳列情報を供給する前に予め設定され、
前記商品陳列情報は、前記商品画像を表示する位置として、前記複数の個別領域のいずれかを示す
ことを特徴とする請求項１から請求項８のいずれか一項に記載の情報供給方法。
【請求項１０】
前記商品陳列情報は、少なくとも前記店舗のＰＯＳシステムの情報に基づいた情報である
ことを特徴とする請求項１から請求項９のいずれか一項に記載の情報供給方法。
【請求項１１】
請求項１から請求項１０のいずれか一項に記載の情報供給方法を含み、
前記商品陳列情報又は前記商品陳列情報の一部を修正した情報に基づいて、前記商品陳列画面に前記商品画像を表示する
ことを特徴とする商品表示方法。
【請求項１２】
請求項２から請求項１０のいずれか一項に記載の情報供給方法を含み、
前記商品陳列画面に設定された複数の前記カテゴリ領域の形状及び／又は大きさに応じて、前記商品の実物大の大きさより大きい前記商品画像が表示される
ことを特徴とする商品表示方法。
【請求項１３】
第１の店舗で販売される第１の商品と、前記第１の店舗に備えられている第１の表示システムが有する第１の商品陳列画面において前記第１の商品の画像である第１の商品画像を表示する第１の位置と、を示す第１の商品陳列情報を、前記第１の店舗に供給し、
第２の店舗で販売される第２の商品と、前記第２の店舗に備えられている第２の表示システムが有する第２の商品陳列画面において前記第２の商品の画像である第２の商品画像を表示する第２の位置と、を示す第２の商品陳列情報を、前記第２の店舗に供給する
ことを特徴とする情報供給方法。
【請求項１４】
前記第１の商品陳列画面における領域であって、前記第１の商品のカテゴリである第１の商品カテゴリが関連づけられた領域である第１のカテゴリ領域は、前記第１の商品陳列情報を供給する前に予め設定されており、
前記第２の商品陳列画面における領域であって、前記第２の商品カテゴリである第２の商品カテゴリが関連づけられた領域である第２のカテゴリ領域は、前記第２の商品陳列情報を供給する前に予め設定されている
ことを特徴とする請求項１３に記載の情報供給方法。
【請求項１５】
前記第１の商品陳列情報は、少なくとも前記第１のカテゴリ領域に基づいて生成され、
前記第２の商品陳列情報は、少なくとも前記第２のカテゴリ領域に基づいて生成される
ことを特徴とする請求項１４に記載の情報供給方法。
【請求項１６】
店舗を統括する本部に設けられ、  前記店舗で販売される商品と、前記店舗に備えられている表示システムの商品陳列画面において前記商品の画像である商品画像を表示する位置と、を示す商品陳列情報を、前記店舗に供給する
ことを特徴とする表示情報生成サーバ装置。
【請求項１７】
店舗に設けられた一つあるいは複数の画像表示装置からなる画像表示システムであり、
前記画像表示装置の表示画面から構成される商品陳列画面と、
前記店舗で販売される商品と、当該店舗に備えられている表示システムの商品陳列画面において前記商品の画像である商品画像を表示する位置とを示す商品陳列情報に基づき、当商品該陳列画面に対して前記商品の画像を表示する画像情報制御部と
を備える
ことを特徴とする画像表示システム。
【発明の詳細な説明】
【技術分野】
【０００１】
本発明は、液晶モニターなどの画像表示装置に商品の画像を表示する商品陳列画像表示方法、表示情報生成サーバ装置および画像表示システムに関する。
【背景技術】
【０００２】
近年、スーパーマーケット及びコンビニエンスストアなどに代表される小売業の店舗において、販売する商品の陳列に液晶モニターなどの画像表示装置が採用されている（例えば、特許文献１参照）。
また、画像表示装置の表示画面に対して商品を陳列する場合、この表示画面における商品の陳列の配置を、一般的には店舗毎に独自にレイアウトして行なっている。
【先行技術文献】
【特許文献】
【０００３】
【特許文献１】特開２０１５−２０１１１５号公報
【発明の概要】
【発明が解決しようとする課題】
【０００４】
解決しようとする問題点は、店舗毎に画像表示装置に商品の配置のレイアウトを行なう場合、ＰＯＳ（point of sale）システムにおける販売実績の確認や、売れ筋商品の抽出を行い、この結果に応じて売り上げが向上するように商品の配置を各店舗において行なうことになる。
しかしながら、各店舗でＰＯＳシステムにおける販売実績の確認や、売れ筋商品の抽出を行なうことが負担となり、かつ売り上げが向上する商品の陳列する際の配置にはノウハウが必要であり、店舗で独自に行なうことが困難であった。
【課題を解決するための手段】
【０００５】
本発明は、店舗で販売される商品と、前記店舗に備えられている表示システムの商品陳列画面において前記商品の画像である商品画像を表示する位置と、を示す商品陳列情報を、前記店舗に供給することを特徴とする商品画像表示方法である。【０００６】
本発明は、店舗を統括する本部に設けられ、  前記店舗の各々が販売する商品の画像である商品画像を、前記店舗それぞれに備えられている画像表示システムの商品陳列画面のいずれの表示領域に表示するかを示す商品陳列画像情報を前記店舗それぞれに供給することを特徴とする表示情報生成サーバ装置である。【０００７】
本発明は、店舗に設けられた一つあるいは複数の画像表示装置からなる画像表示システムであり、前記画像表示装置の表示画面から構成される商品陳列画面と、前記店舗で販売される商品と、当該店舗に備えられている表示システムの商品陳列画面において前記商品の画像である商品画像を表示する位置とを示す商品陳列情報に基づき、当商品該陳列画面に対して前記商品の画像を表示する画像情報制御部とを備えることを特徴とする。
【発明の効果】
【０００８】
本発明によれば、本部から供給される、本部のＰＯＳシステムのレジスタ情報（電子レジスタにおける売上情報）よる販売実績の確認や、売れ筋商品の抽出を行なうノウハウを有する専門スタッフが生成した商品の陳列表示の画像の構成を示す商品陳列画像表示情報に基づき、商品陳列画面に商品の画像を配置することができるため、各店舗でＰＯＳシステムにおける販売実績の確認や、売れ筋商品の抽出を行なう必要が無く、売り上げが向上する商品の陳列する際の商品陳列画面における画像の配置を容易に得ることが可能となる。
【図面の簡単な説明】
【０００９】
【図１】本発明の実施形態による表示情報生成サーバ及び画像表示システムの構成例を示す図である。
【図２】店舗分析データベース１３に記憶されている店舗分析データテーブルの構成例を示す図である。
【図３】陳列画像データベースに記憶されている商品陳列に関するテーブルの構成例を示す図である。
【図４】一つの画像表示装置により構成された画像表示部２２の商品陳列画面の一例を示す図である。
【図５】商品カテゴリが関連づけられる商品陳列画面の他の例を示す図である。
【図６】商品カテゴリが関連づけられる商品陳列画面の他の例を示す図である。
【図７】商品カテゴリが関連づけられる商品陳列画面の他の例を示す図である。
【図８】本発明の実施形態の概念を説明する図である。
【発明を実施するための形態】
【００１０】
以下、本発明の実施形態による商品画像表示を行う表示情報生成サーバ及び画像表示システムについて図面を参照して説明する。図１は、本発明の実施形態による表示情報生成サーバ及び画像表示システムの構成例を示す図である。
図１に示すように、表示情報生成サーバ装置１は、店舗を統括する本部に設けられたサーバ装置であり、情報分析部１１、陳列画像生成部１２、店舗分析データベース１３及び陳列画像データベース１４の各々を備えている。画像表示システム２は、本部に統括される店舗の各々に備えられており、画像情報制御部２１及び画像表示部２２の各々を備えている。また、店舗には、ＰＯＳシステムなどの機能を有するレジスタ情報管理部３が設けられている。このレジスタ情報管理部３は、レジスタ情報入出力部３１及びレジスタ情報記憶部３２の各々が備えられている。天気サーバ４は、天気予報会社に備えられており、週間あるいは翌日、当日などの天気予報の情報を提供する。ネットワーク１００は、インターネットを含む情報通信網であり、表示情報生成サーバ装置１、画像表示システム２、レジスタ情報管理部３及び天気サーバ４などが接続されている。
【００１１】
情報分析部１１は、各店舗のレジスタ情報管理部３から周期的（例えば、１日毎）に供給されるレジスタ情報を店舗分析データベース１３に対して一旦書き込んで記憶させる。そして、本部の作業者は、情報分析部１１により、店舗毎に、店舗分析データベース１３からレジスタ情報を読み出し、読み出したレジスタ情報を集計して分析し、各店舗における商品の販売状況を求める。この本部の作業者は、ＰＯＳシステムにおける販売実績の確認や、売れ筋商品の抽出を行なうノウハウを有する専門スタッフである。
【００１２】
上記レジスタ情報は、各店舗における電子レジスタに入力される客毎の商品の売上を示す情報（売上情報）であり、各客に対して商品を販売した販売情報として示され、少なくとも客に販売した商品の種類、商品の種類毎の購入数、客の性別、年代、購入した時間帯、購入時点の天気などを含む情報である。販売状況とは、履歴として過去の一定の期間における（例えば、１年間）のレジスタ情報を用い、少なくとも季節（月日）、曜日、天気及び時間帯毎に、客に対しての商品の販売情報を集計したものであり、各時間帯に商品を購入した性別毎の人数、購入された商品の種類、平均販売金額、販売金額の総計などの情報である。この販売状況は、本部の作業者により、分析に必要な情報として任意に抽出され、店舗の各々で販売される商品の商品画像を当該店舗に備えられた画像表示装置の表示画面（後述する商品陳列画面）に表示させる情報である商品陳列情報を生成するために用いる情報であれば種類は限定されない。
【００１３】
表示情報生成サーバ装置１の陳列画像生成部１２は、商品陳列情報を生成する際、天気サーバ４をアクセスして、生成対象の日における店舗の各々が立地する地域における時間帯毎の天気予報を確認する。そして、陳列画像生成部１２は、店舗毎に、商品陳列情報の生成対象の日時に対応した季節（月日）、曜日、天気、時間帯毎の組合わせにより、店舗分析データベース１３における販売状況の履歴を抽出し、商品の販売した数を集計し、表示画面に表示させる。陳列画像生成部１２は、この表示された集計結果を分析することで各店舗において、よく売れた商品（売れ筋の商品）、目玉商品などを求める。陳列画像生成部１２は、この分析結果に基づいて、陳列画像生成部１２の画像生成機能により、各店舗の画像表示装置の表示画面における商品の表示画像を表示する表示位置（後述するカテゴリ領域及び個別領域）を、店舗毎の画像表示装置に対応させて生成する。上述した表示情報生成サーバ装置１の処理は、本部の作業者が表示情報生成サーバ装置１の表示画面において、操作して行なっても良い。
【００１４】
レジスタ情報管理部３において、レジスタ情報入出力部３１は、店舗の店員が入力する、商品を販売した客毎のレジスタ情報を、レジスタ情報記憶部３２に対して書き込んで記憶させて集積する。また、レジスタ情報入出力部３１は、周期的（例えば、１日毎）に、上記記憶部から集積されたレジスタ情報を読み出し、読み出したレジスタ情報を本部の表示情報生成サーバ装置１に対して出力する。
【００１５】
図２は、店舗分析データベース１３に記憶されている店舗分析データテーブルの構成例を示す図である。店舗分析データテーブルは、店舗毎に設けられており、店舗識別情報により識別され、店舗名が付与されている。店舗分析データテーブルは、図２（ａ）に示す店舗テーブル、図２（ｂ）に示す店舗販売履歴テーブル、図２（ｃ）に示す客単位販売テーブルの各々のテーブルを有している。
【００１６】
図２（ａ）の店舗テーブルは、例えば、店舗識別情報に対応して、店舗名、店舗住所、店舗電話番号、店舗規模、店舗環境情報、画像表示装置情報及び販売履歴情報インデックスの各々の項目を有している。店舗識別情報は、本部が統括する店舗の各々を識別する識別情報を示している。店舗名は、店舗識別情報が識別する店舗の名称を示している。店舗住所は、店舗が存在する住所を示している。店舗電話番号は、店舗の備える電話の電話番号を示している。店舗規模は、本部が管理する店舗の中において、店舗の各々の店舗面積に基づいた店舗の規模の大きさによる分類、例えば、大型店舗、中型店舗及び小型店舗の各々の分類を示している。店舗環境情報は、店舗のある地域が住宅地、商業地域、工業地域のいずれか、また駅、学校（小学校、中学校、高等学校、大学、専門学校など）が近辺にあるかなどの購入する客層及び客数を予想できる情報を示している。画像表示装置情報は、店舗に備え付けられている画像表示装置の情報であり、画像表示装置を識別する装置識別情報と、この装置識別情報の示す画像表示装置の表示画面のサイズと、店舗内の設置位置とを、対応付けて示している。販売履歴情報インデックスは、各店舗の販売履歴の情報が記憶されている領域を示している。
【００１７】
図２（ｂ）は、店舗販売履歴テーブルは、販売履歴として日付毎の販売情報を示すテーブルであり、日付情報に対応して、客番号、時間帯情報、天候情報、温度情報、性別情報、年齢層情報及び販売情報インデックスの各々の項目を有している。日付情報は、販売が行なわれた年月日の情報を示している。客番号は、同一の日付において商品を販売した客のシリアル番号を示している。時間帯情報は、客が会計を行なった時間帯（もしくは時刻）を示している。天候情報は、客が会計を行なった時点における天候を示している。温度情報は、客が会計を行なった時点における外気温を示している。性別情報は、商品を販売した客の性別を示している。年齢層情報は、客の一定幅の年齢による階層（高年齢層、中年齢層、低年齢層など）を示す情報である。販売情報インデックスは、各客に対して販売した商品などの情報が記憶されている領域を示している。
【００１８】
図２（ｃ）は、客単位販売テーブルは、客番号で識別される客に対して販売した商品とその販売金額の情報を示すテーブルであり、商品番号に対応して、商品名、商品カテゴリ、販売個数、単価、販売金額及び総販売金額の各々の項目を有している。商品番号は、ＰＯＳシステムで用いられている商品を識別する識別情報を示している。商品名は、商品番号に対応する商品の名称を示している。商品カテゴリは、商品のカテゴリ（種別）を示しており、例えば、弁当、飲み物、文房具などである。販売個数は、商品番号の示す商品を客が購入した数を示している。単価は、商品番号の示す商品の一個あたりの値段を示している。販売金額は、対応する商品の単価に対して販売個数を乗じた金額を示している。総販売金額は、客番号の示す客に対して販売した全ての商品の販売金額を積算した金額である。
【００１９】
図３は、陳列画像データベースに記憶されている商品陳列に関するテーブルの構成例を示す図である。商品陳列に関するテーブルは、店舗毎に設けられており、図３（ａ）に示す商品陳列画面テーブル、図３（ｂ）に示すカテゴリ領域テーブル、図３（ｃ）に示す商品陳列情報テーブル、図３（ｄ）に示す商品属性情報テーブルの各々のテーブルを有している。
図３（ａ）に示す商品陳列画面テーブルは、店舗識別情報に対応して、この店舗識別情報が示す店舗に備えられている商品陳列画面それぞれの識別情報である商品陳列画面識別情報が示されている。商品陳列画面は、一つの画像表示装置の表示画面、あるいは複数の画像表示装置の表示画面を合成した複合表示画面である。この商品陳列画面は、各店舗に対して一個あるいは複数個が設けられている。商品陳列画面における位置は、例えば、画像表示装置の各々の配置位置と、画像表示装置の表示画面における画素の２次元配置とを座標値として設定されている。
【００２０】
図３（ｂ）に示すカテゴリ領域テーブルは、商品陳列画面毎に設けられ、カテゴリ領域識別情報と、カテゴリ領域範囲情報と、商品カテゴリ情報との各々が対応付けられている。カテゴリ領域識別情報は、商品陳列画面を区分したカテゴリ領域の各々を識別する識別情報である。カテゴリ領域範囲情報は、カテゴリ領域識別情報が示すカテゴリ領域が商品陳列画面において占める領域の位置を示す情報である。商品カテゴリは、カテゴリ領域に関連づけられた商品のカテゴリを示している。すなわち、商品カテゴリは、カテゴリ領域に表示される商品のカテゴリを示している。カテゴリ領域には、一個あるいは複数個の商品カテゴリを関連付けることができる。また、カテゴリ領域テーブルは、一つの商品陳列画面に対して、利用目的などに対応して複数個が存在してもよい。すなわち、商品陳列画面に、用途に応じて複数のカテゴリ領域を重複して設定する構成としても良い。
【００２１】
図３（ｃ）に示す商品陳列情報テーブルは、カテゴリ領域識別情報毎に設けられており、表示画像識別情報に対応して、商品カテゴリ、表示位置情報、解像度情報、商品画像インデックス及び付加情報インデックスの各々を有している。表示画像識別情報は、画像表示装置に陳列表示する商品画像を識別する識別情報である。商品カテゴリは、商品画像の商品のカテゴリを示している。表示位置情報は、画像表示装置の表示画面おける、表示画像識別情報の示す商品画像を表示する位置を示す情報である。解像度情報は、画像表示装置の表示画面に表示させる際における商品画像の解像度を示す情報である。商品画像インデックスは、表示画像識別情報に対応する商品画像の記憶されている場所のアドレスを示している。付加情報インデックスは、表示される商品画像の商品に対する属性情報が記憶されている場所のアドレスを示している。
【００２２】
図３（ｄ）に示す商品属性情報テーブルは、表示画像毎に設けられており、商品番号に対応して、商品名、商品カテゴリ、商品価格、カロリー情報、塩分情報、原材料情報及び成分情報の各々を有している。商品番号は、ＰＯＳシステムで用いられている商品を識別する識別情報を示している。商品名は、商品番号に対応する商品の名称を示している。商品カテゴリは、商品のカテゴリ（種別）を示しており、例えば、弁当、飲み物、文房具などである。商品価格は、商品の単価を示している。カロリー情報は、商品のカテゴリが食物である場合、その商品のカロリー量を示している。塩分情報は、商品のカテゴリが食物である場合、その商品の塩分量を示している。原材料情報は、商品を製造する際に用いた原料及び材料の各々を示している。成分情報は、例えば食品であれば栄養素の含量、色味、香りの成分などの食品成分が示されている。
【００２３】
図１に戻り、表示情報生成サーバ装置１の陳列画像生成部１２は、上述したように、店舗分析データベース１３に記憶されている店舗分析テーブルのレジスタ情報のデータを集計し、商品陳列情報の生成対象の日及び時間帯に対応した季節（月日）、曜日、天気における商品毎の販売数及び販売した金額などの販売状況を分析し、商品陳列情報を生成する。この際、表示情報生成サーバ装置１の陳列画像生成部１２は、集計して抽出された、販売数あるいは金額が多い商品である売れ筋商品のランク付けのみでなく、レジスタ情報から得られる各商品の在庫状況や各店舗において推奨したい新たな商品なども商品陳列情報を作成する際の情報として用いる。
【００２４】
そして、表示情報生成サーバ装置１の陳列画像生成部１２は、作成した商品陳列情報を、すでに説明した陳列画像データベース１４の商品陳列情報テーブルへ書き込んで記憶させる。ここで、商品陳列情報は、各店舗に本部から供給される、画像表示部２２に対して陳列表示する商品画像の情報である。すなわち、商品陳列情報は、各店舗に供給される際、商品陳列画面識別情報の示す商品陳列画面毎に、少なくとも商品画像の表示位置情報、解像度情報、商品の付加情報、商品形状画像インデックス（あるいは商品形状画像そのものの画像データ）を有している。商品形状画像インデックスの場合は、ネットワーク１００に接続されたいずれかのサーバに商品形状画像の画像データが蓄積されており、画像情報制御部２１が、そのサーバから商品形状画像の画像データを読み込んで、商品陳列画面に表示する。
【００２５】
また、表示情報生成サーバ装置１は、所定の時間毎に陳列画像生成部１２が作成した商品陳列情報を各店舗の画像表示システム２に供給する。このとき、表示情報生成サーバ装置１は、店舗識別情報に対応して、陳列画像データベース１４の商品陳列情報テーブルから、商品陳列画面の各々に表示する商品画像それぞれの表示位置情報、解像度情報、商品画像インデックス、付加情報を読み込み、各店舗の画像表示部２２の商品陳列画面における商品画像の配置を示す商品陳列情報を生成する。また、表示情報生成サーバ装置１は、時間帯毎に商品陳列情報を変更する運用の場合、所定の時間毎に商品陳列情報を、店舗の画像表示システム２に対して送信する。また、表示情報生成サーバ装置１が所定の時間毎に、陳列画像データベース１４の商品陳列情報テーブルに基づき、商品陳列情報を生成し、各店舗の画像表示システム２に供給する構成としても良い。
上述したように、表示情報生成サーバ装置１は、所定の店舗で販売される商品と、この店舗に備えられている表示システムが有する商品陳列画面に対して、商品の画像である商品画像を表示する表示位置と、を示す商品陳列情報を、所定の店舗に供給し、他の店舗で販売される商品と、この他の店舗に備えられている表示システムが有する商品陳列画面に対して商品画像を表示する表示位置と、を示す商品陳列情報を、他の店舗に供給する。所定の店舗及び他の店舗の各々に供給される商品陳情報を生成する前に、それぞれの店舗の商品陳列画面におけるカテゴリ領域に関連づけられる商品カテゴリが設定されている。そして、所定の店舗及び他の店舗の各々に供給される商品陳情報は、それぞれカテゴリ領域に基づいて生成される。
【００２６】
また、表示情報生成サーバ装置１は、複数の時間帯の各々に対応した商品陳列情報それぞれを、予め表示する前日に送付するようにしても良い。この場合、店舗側において、画像情報制御部２１が図示しない記憶部に複数の商品陳列情報を書き込んで記憶させておく。そして、画像情報制御部２１は、所定の時間帯毎に、この時間帯に対応する商品陳列情報に基づいて、画像表示部２２の表示画面である商品陳列画面に対して、商品の表示画像の各々をそれぞれ関連づけられた表示位置の個別領域に表示する。個別領域は、カテゴリ領域そのものあるいはカテゴリ領域が複数に分割された、商品の画像を表示する個別領域である。
【００２７】
また、商品陳列情報において、個別領域に表示する商品画像の商品カテゴリは、すでに説明したように、商品陳列画面のカテゴリ領域に関連づけられている。したがって、商品画像は、商品陳列画面における商品の商品カテゴリが関連づけられたカテゴリ領域に含まれる個別領域（表示位置で指定）に表示される。
上述したカテゴリ領域は、商品陳列情報を供給する前に、ルールとして設定される。より詳細には、カテゴリ領域は、本部において商品陳列情報が生成される前に、商品陳列情報の生成対象の日及び時間帯に対応した季節（月日）、曜日、天気における商品毎の販売数及び販売した金額などの販売状況を分析して、商品陳列画面に対する商品カテゴリ毎の商品画像の表示のルールとして設定される。このように、店舗毎に商品陳列画面の表示位置の示す個別領域の各々に、この個別領域を含むカテゴリ領域に関連づけられた商品カテゴリの商品を表示するかが予めルールとして設定されており、表示情報生成サーバ装置１は、そのルールに従って、あるいは考慮して商品陳列情報を生成する。
また、商品陳列画面が１個のみ配置されている店舗において、この商品陳列画面における店舗の出入り口に近い領域と、店舗の奥に近い領域との各々には、それぞれ異なる種類の商品カテゴリが関連づけられたカテゴリ領域が設定されている。出入り口に近い領域のカテゴリ領域には顧客の興味を引く商品カテゴリが関連づけられる。また、売上の多い商品カテゴリであると予想される場合、この商品カテゴリのカテゴリ領域の商品陳列画面に占める面積を予め大きく設定する。
【００２８】
また後述する各図で説明するそれぞれのルールにおいても同様の商品陳列情報を生成する処理を行なう。上記ルールは、店舗毎に店舗分析データベース１３に予め書き込まれて記憶されている。表示情報生成サーバ装置１の陳列画像生成部１２は、商品陳列情報を生成する店舗の店舗識別情報に対応して、店舗分析データベース１３に記憶されているルールを読出し、表示情報生成サーバ装置１の表示画面に表示されるこのルールを参照する。そして、陳列画像生成部１２は、表示情報生成サーバ装置１の表示画面において商品陳列画面における商品画像の配置のレイアウトを上記ルールに対応して、すなわち商品画像を、この商品画像の商品カテゴリが関連づけられた、商品陳列画面におけるカテゴリ領域の個別領域に配置する処理を行ない、商品陳列情報の生成を行なう。このとき、陳列画像生成部１２は、本部の作業者の操作に従い、表示情報生成サーバ装置１の表示画面における商品画像のレイアウトの処理を実行する。
【００２９】
そして、店舗側において、画像情報制御部２１は、本部から供給される商品陳列情報に対応して、商品画像を画像表示部２２の商品陳列画面に陳列表示する。画像表示部２２は、商品を陳列表示する商品陳列画面を有している。この商品陳列画面は、一つ（単数）あるいは複数の画像表示装置の表示画面により構成されている。すなわち、商品陳列画面は、画像表示部２２が一つの画像表示装置で構成されている場合、この画像表示装置の表示画面そのものである。一方、商品陳列画面は、画像表示部２２が複数の画像表示装置で構成されている場合、これら複数の画像表示装置の表示画面を複合した複合表示画面である。
【００３０】
店舗においては、陳列棚あるいは冷蔵庫（冷蔵リーチインショーケース）に代えて、本実施形態による画像表示部２２の商品陳列画面を設けている。店舗で販売する商品の陳列の全てを商品陳列画面に代えても、または商品の陳列の一部を商品陳列画面に代えても良い。この商品陳列画面に陳列表示されている商品は、店舗のバックヤードに保管されている。本実施形態においては、商品に対する精算時に、バックヤードから商品の実物を取り出して、客に対してこの商品を手渡す。画像表示システム２の画像表示部２２における商品陳列画面を設置する位置は、店舗毎に、店舗側の店員と本部側の担当者とにより、店舗の周囲の環境や客層などにより設定する。すなわち、売れ筋の商品の商品カテゴリや、目玉商品として販売する商品の商品カテゴリが店舗によって異なるため、店舗の入り口近傍、店舗の中央部近傍及び店舗の奥近傍のいずれの位置に設置するかを、売れ筋の商品、あるいは目玉商品の配置に対応して決定する。
【００３１】
図４は、一つの画像表示装置により構成された画像表示部２２の商品陳列画面の一例を示す図である。図４（ａ）は、画像表示部２２の商品画像の表示位置と商品カテゴリとの関係を説明するための構成例である。商品陳列画面２００は、複数、すなわち２つのカテゴリ領域５００＿１及びカテゴリ領域５００＿２の各々により区分されている。カテゴリ領域２０２カテゴリ領域５００＿１及びカテゴリ領域５００＿２の各々には、それぞれ一つの商品カテゴリあるいは複数の商品カテゴリが関連づけられている。
また、カテゴリ領域５００＿１及びカテゴリ領域５００＿２の各々は、一つの個別領域２０１あるいは複数の個別領域２０１に分割されている。すなわち、商品陳列画面２００は、複数の個別領域の各々に分割され、それぞれの個別領域が所定の一個あるいは複数のカテゴリ領域に関連づけられている。図４（ａ）では、それぞれの個別領域２０１が同一の大きさに分割した記載となっているが、それぞれの個別領域２０１が同一の大きさである必要はない。例えば、商品カテゴリの商品が実物大の大きさで表示できる大きさに分割されていることが望ましい。商品陳列情報における表示位置情報は、この個別領域２０１の位置を示す情報、例えば、商品陳列画面を２次元座標系として画素数で表した座標値などである。また、個別領域に表示される商品画像は、商品陳列画面２００に設定された複数のカテゴリ領域の形状及び大きさの双方、または形状及び大きさのいずれかに応じて、商品の実物大の大きさより大きい画像としても良い。
【００３２】
商品陳列画面２００における１行目の商品ａ、商品ｂ、…、商品ｎと示された個別領域２０１が商品カテゴリＡ（例えば、飲み物）に関連づけされたカテゴリ領域５００＿１属している。また、商品陳列画面２００における商品ａａ、商品ｂｂ、…、商品ｎｎと示された個別領域２０１が商品カテゴリＢ（例えば弁当）に関連づけされたカテゴリ領域５００＿２に属している。この図４の例のように、商品陳列画面２００のカテゴリ領域５００＿１及びカテゴリ領域５００＿２の各々には、それぞれ表示する商品の商品カテゴリが関連づけられ、個別領域２０１の各々が属している。このカテゴリ領域に対する商品カテゴリの関連づけは、画像表示装置を設置した際に、店舗側及び本部側が協議を行なって決定する場合、商品陳列情報を生成する前に、商品陳列情報を生成する日の季節（月日）、曜日、時間帯、天気などの組合わせ毎に設定されている場合もある（上述したルール）。
【００３３】
客の意識において、左上（少なくとも上の部分）の個別領域の商品画像から順に表示画像を鑑賞する。このため、左上における個別領域を含むカテゴリ領域には、推奨する商品カテゴリを関連づける必要がある。その店舗において販売される商品の商品カテゴリにおいて、推奨商品の商品カテゴリの推奨する順番に対応して、左上の個別領域を含むカテゴリ領域から順に商品カテゴリを関連づけていく。このため、すでに説明したように、カテゴリ領域と、このカテゴリ領域に関連づけられる商品カテゴリとの関係が、店舗毎に予めルールとして設定されている。カテゴリ領域においては、推奨する商品カテゴリの商品の数により、個別領域の数が決まる。このため、推奨する商品の数が多い商品カテゴリの個別領域数が多くなり、その商品カテゴリに関連づけたカテゴリ領域の商品陳列画面に占める表示面積が、商品数がより少ない商品カテゴリに関連づけたカテゴリ領域に比較して大きくなる。
陳列画像生成部１２は、このルールに対応して、画像表示システム２の商品陳列画面における個別領域の各々に表示する商品を、関連づけられた商品カテゴリの商品のなかから選択する。また、同一の商品カテゴリが関連づけられた複数の個別領域２０１、例えば商品カテゴリＡに関連づけられたカテゴリ領域２０２に含まれる個別領域２０１においても、商品カテゴリＡのなかの商品群における推奨する商品の順番に、左上からの個別領域２０１に商品を関連づけた表示位置を設定することもルールとして設定されている。
【００３４】
図４（ｂ）は、商品陳列画面２００のカテゴリ領域２０２に含まれる個別領域の各々における商品画像の表示例を示す図である。個別領域２０１には、商品画像が表示されるが、商品名の文字情報が表示される商品名表示サブ領域２０１Ａと、商品自体の商品形状画像が表示される商品画像表示サブ領域２０１Ｂ、価格の文字情報が表示される価格表示サブ領域２０１Ｃと、商品の付加情報が表示される付加情報表示サブ領域２０１Ｄとを備えている。すなわち、画像情報制御部２１は、各商品識別情報ごとに、商品陳列情報から商品名、商品形状画像のデータ、表示位置情報、付加情報を抽出して、示された解像度情報の解像度により、画像表示部２２の商品陳列画面２００における表示位置情報の示すカテゴリ領域２０２に含まれる個別領域２０２に表示する。
【００３５】
図５は、商品カテゴリが関連づけられる商品陳列画面の他の例を示す図である。画像情報制御部２１は、商品陳列情報に基づいて、図５に示すように、商品の商品画像を画像表示部２２の商品陳列画面に表示する。図５においては、商品陳列画面２００が画像表示装置２００＿１、画像表示装置２００＿２、…、画像表示装置２０１＿ｎの各々の表示画面の複合表示画面から構成されている。この図５の場合には、画像表示装置２００＿１、画像表示装置２００＿２、…、画像表示装置２０１＿ｎの複合表示画面である商品陳列画面の各々のカテゴリ領域毎に、商品カテゴリがそれぞれ関連づけられている。すなわち、画像表示装置２００＿１及び２００１＿２の各々の表示画面からなるカテゴリ領域５００＿１には、商品カテゴリＡが関連づけられている。このため、カテゴリ領域５００＿１における個別領域の各々には、それぞれ商品カテゴリＡの商品が表示される。また、画像表示装置２００＿ｎの表示画面からなるカテゴリ領域５００＿２には商品カテゴリＢが関連づけられている。カテゴリ領域５００＿２における個別領域の各々には、それぞれ商品カテゴリＢの商品が表示される。
【００３６】
図６は、商品カテゴリが関連づけられる商品陳列画面の他の例を示す図である。画像情報制御部２１は、商品陳列情報に基づいて、図６に示すように、商品の表示画像を画像表示部２２の商品陳列画面２００に表示する。図６においては、商品陳列画面２００が画像表示装置３００＿１、画像表示装置３００＿２、画像表示装置３００＿３の各々の表示画面の複合表示画面から構成されている。商品陳列画面２００は、カテゴリ領域５００＿３、カテゴリ領域５００＿４などの複数のカテゴリ領域に分割されている。カテゴリ領域５００＿３及びカテゴリ領域５００＿４の各々は、画像表示装置３００＿１、画像表示装置３００＿２、画像表示装置３００＿３それぞれの所定の表示画面の領域から構成されている。
また、カテゴリ領域５００＿３は、個別領域３０１、個別領域３０２及び個別領域３０３の各々を含んでいる。カテゴリ領域５００＿４は、個別領域３０４、個別領域３０５及び個別領域３０６の各々を含んでいる。この図６の場合には、画像表示装置３００＿１、画像表示装置３００＿２、画像表示装置３００＿３の各々の表示画面の１行目の個別領域３０１、個別領域３０２、個別領域３０３のそれぞれからなるカテゴリ領域５００＿３が、商品カテゴリＡに対して関連づけられている。また、画像表示装置３００＿１、画像表示装置３００＿２、画像表示装置３００＿３の各々の表示画面の２行目の個別領域３０４、個別領域３０５、個別領域３０６それぞれが、商品カテゴリＢに対して関連づけられている。すなわち、商品陳列画面の一行目のカテゴリ領域５００＿３は商品カテゴリＡに対して関連づけられ、商品陳列画面の二行目のカテゴリ領域５００＿４は商品カテゴリＢに対して関連づけられている。このように、異なる画像表示装置をまたいで、商品カテゴリが関連づけられていても良い。
また、画像表示装置３００＿３は、画像表示装置３００＿２に対して隣接させて配置してもよく、また画像表示装置３００＿１及び画像表示装置３００＿２の各々と離れた異なる位置に配置してもよい。また、商品陳列画面２００を構成する画像表示装置３００＿１、画像表示装置３００＿２及び画像表示装置３００＿３の各々は、それぞれが異なる位置に配置してもよい。
【００３７】
図７は、商品カテゴリが関連づけられる商品陳列画面の他の例を示す図である。画像情報制御部２１は、商品陳列情報に基づいて、図７に示すように、商品の表示画像を画像表示部２２の商品陳列画面２００に表示する。図７においては、商品陳列画面２００が画像表示装置４００＿１及び画像表示装置４００＿２の各々の表示画面の複合表示画面から構成されている。商品陳列画面２００は、カテゴリ領域５００＿５、５００＿６、５００＿７及びカテゴリ領域５００＿８などのカテゴリ領域に分割されている。カテゴリ領域５００＿５は、商品陳列画面２００における個別領域３０７（１行目）から構成されている。また、カテゴリ領域５００＿６は、商品陳列画面２００における個別領域３０８（２行目）及び個別領域３０９（３行目）の各々から構成されている。この個別領域３０７、個別領域３０８及び個別領域３０９の各々は、画像表示装置４００＿１、画像表示装置４００＿２のそれぞれにまたがって（複数の画像表示装置の各々の表示画面の一部を含んで）構成されている。すなわち、個別領域５０１、個別領域５０２及び個別領域５０３の各々は、隣接した画像表示装置４００＿１を行単位で分割した領域と、画像表示装置４００＿２を行単位で分割した領域との各々が接続された個別領域となっている。
カテゴリ領域５００＿７及びカテゴリ領域５００＿８の各々は、それぞれ画像表示装置４００＿１における個別領域４０１と、表示装置４００＿２における個別領域４０２とから構成されている。
【００３８】
上述したカテゴリ領域５００＿５、カテゴリ領域５００＿６、カテゴリ領域５００＿７及びカテゴリ領域５００＿８の各々には、同一の商品カテゴリあるいは異なる商品カテゴリのそれぞれが関連づけられている。また、個別領域３０７、個別領域３０８及び個別領域３０９の各々には、それぞれ商品カテゴリに関連づけられた商品カテゴリの１種類の商品の商品画像が表示される。上述したように、推奨したい度合いに対応させて、カテゴリ領域に占める個別領域の面積を変更するようにしても良い。すなわち、推奨したい度合いが高くなるにしたがい、個別領域の面積が増大するように設定される。また、個別領域に表示する商品形状画像は、静止画像に限られず、推奨する商品のインパクトを高くする動画像、例えば、テレビで放映されるコマーシャルの画像と同様の動画像、あるいは店舗の商品配置に対応した動画像としても良い。
【００３９】
また、図７において、４行目のカテゴリ領域５００＿７に含まれる個別領域４０１（画像表示装置４００＿１）の各々には、カテゴリ領域５００＿７に関連づけられた商品カテゴリの商品１、商品２、商品３、商品４、商品５の商品画像が表示される。４行目のカテゴリ領域５００＿７に含まれる個別領域４０２（画像表示装置４００＿２）の各々には、カテゴリ領域５００＿７に関連づけられた商品カテゴリの商品６、商品７、商品８、商品９、商品１０の商品画像が表示されている。
また、この４行目のカテゴリ領域５００＿７に対し、複数の商品カテゴリ、例えば、商品カテゴリＡ及び商品カテゴリＢが関連づけられている場合、個別領域４０１の各々に商品カテゴリＡの商品の商品画像を表示し、個別領域４０２の各々に商品カテゴリＢの商品の商品画像を表示してもよい。
５行目のカテゴリ領域５００＿８に含まれる個別領域４０１（画像表示装置４００＿１）の各々には、カテゴリ領域５００＿８に関連づけられた商品カテゴリの商品１１、商品１２、商品１３、商品１４、商品１５の商品画像が表示される。５行目のカテゴリ領域５００＿８に含まれる個別領域４０２（画像表示装置４００＿２）の各々には、カテゴリ領域５００＿８に関連づけられた商品カテゴリの商品１６、商品１７、商品１８、商品１９、商品２０の商品画像が表示されている。
また、４行目と同様に、５行目のカテゴリ領域５００＿７に対し、複数の商品カテゴリ、例えば、商品カテゴリＡ及び商品カテゴリＢが関連づけられている場合、個別領域４０１の各々に商品カテゴリＡの商品の商品画像を表示し、個別領域４０２の各々に商品カテゴリＢの商品の商品画像を表示してもよい。
また、上述した図５、図６及び図７における商品陳列情報も、図４と同様に、予め設定されたルールに従い、表示情報生成サーバ装置１における陳列画像生成部１２により作成される。ここで、表示情報生成サーバ装置１は、本部の作業者の操作により、商品陳列情報を作成するように構成しても良い。
【００４０】
図１に戻り、店舗側においては、基本的に本部から供給される商品陳列情報に基づいて、図５から図７に示すように、画像情報制御部２１により、商品の表示画像を画像表示部２２（画像表示装置）の商品陳列画面に表示する。
しかしながら、店舗側の判断により、商品陳列情報による商品陳列画面におけるカテゴリ領域に関連づける商品カテゴリあるいはカテゴリ領域の個別領域において表示する商品の種類を変更する。例えば、商品陳列画面（画像表示装置の表示画面）がタッチパネルの機能を有して構成されており、店舗の店員は、タッチパネル上の商品の商品画像の表示位置を、タッチパネルの商品画像をドラッグ＆（アンド）ドロップすることで任意に変更する。すなわち、近傍での急な催し物（運動会など）の開催、天気の急変（急に雨が降り出したり、天気が回復して暑くなったりする場合）、商品陳列画面に表示している商品の在庫が終了しそうな場合などの状態に対応して、推奨する商品カテゴリ、あるいは推奨する商品を変更するため、カテゴリ領域の商品陳列画面における位置、カテゴリ領域における商品の商品画像が表示された個別領域の表示位置の各々を、発生する状況に対応した位置に、店舗側によって臨機応変に随時変更する。すなわち、店舗の店員は、本部から供給される商品陳列情報または商品陳列情報の一部を修正して変更された情報に基づいて、商品陳列画面に商品の商品画像を表示する。
【００４１】
また、商品陳列画面における商品陳列情報に対応した商品画像に対して、タッチパネルにおいて蛍光色を選択して、カテゴリ領域の個別領域に表示された商品の商品画像に対して文字及び画像を書き込むポップ広告の処理を行なっても良い。例えば、店舗の店員は、商品陳列情報により商品陳列画面の商品の価格が表示された部分に対し、タッチパネルに「プライスダウン  表示価格から３０円引き」、「とっても暑い日に適した飲み物です」、「弁当と一緒に飲み物を買うと、飲み物を５０円引き」などのポップ広告を指やペンにより書き込むなどの処理を行なっても良い。
上述したように、本実施形態においては、商品陳列画面におけるカテゴリ領域及び個別領域に表示される商品画像の表示形態を、店舗側が時々刻々に変化する状況に対応して最終的に調整する。
【００４２】
これにより、本実施形態によれば、本部から供給される、本部のＰＯＳシステムにおける販売実績の確認や、売れ筋商品の抽出を行なうノウハウを有する専門スタッフが生成した商品の陳列表示の商品画像の構成を示す商品陳列画像表示情報に基づき、画像表示システム２の商品陳列画面に商品画像を配置することができるため、各店舗でＰＯＳシステムのレジスタ情報による販売実績の確認や、売れ筋商品の抽出を行なう必要が無く、商品陳列画面における売り上げが向上するカテゴリ領域に関連づける商品カテゴリ、あるいはカテゴリ領域における個別領域の各々に表示して陳列させる商品画像の配置を容易に得ることが可能となる。
すなわち、実施形態によれば、レジスタ情報の分析や画像のデザインなどの専門知識のない店舗側では作成が困難な、カテゴリ領域に関連づける商品カテゴリ、カテゴリ領域の商品陳列画面における配置位置、カテゴリ領域における個別領域の位置の決定や商品画像とする商品の種類などの商品陳列画面の表示構成を、本部の専門の担当者が行なって商品陳列情報として店舗に供給するため、画像表示システム２の商品陳列画面において各店舗で売れ筋商品あるいは推奨する商品を効果的に客に対して提示することができる。
【００４３】
また、本実施形態によれば、本部から供給される商品陳列情報による商品陳列画面を、店舗の置かれている状況によって店舗側により任意に変更することができるため、客に対して臨機応変に販売したい商品カテゴリの商品の商品画像を提示することができ、状況による売れ筋商品に変化に対応させて、商品の売り上げを向上させることが可能となる。
【００４４】
図８は、本発明の実施形態の概念を説明する図である。画像表示システム２は、店舗の各々に備えられており、店舗それぞれが販売する商品の画像である商品画像を、本部から供給される商品陳列情報に基づいて商品陳列画面２００に表示する。この商品陳列情報は、本部から各店舗に供給される、商品画像を商品陳列画面２００のいずれの位置の個別領域に表示するかを示す情報である。本部の表示情報生成サーバ装置１は、商品陳列情報を生成して、各店舗に対して供給する。
【００４５】
また、図１における表示情報生成サーバ装置１の商品の陳列画像を表示する商品陳列情報を生成する機能と、画像表示システム２の商品の陳列画像を表示する機能との各々を実現するためのコントロールを外部コンピュータシステムによって行てもよい。なお、ここでいう「コンピュータシステム」とは、ＯＳや周辺機器等のハードウェアを含むものとする。
【００４６】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４７】
上述した表示情報生成サーバ装置１及び画像表示システム２の各々は、スーパーマーケット及びコンビニエンスストアなどの店舗のみでなく、飲食店、本屋などの小売店、デパートメントストアなどの商品の陳列表示にも適用することができる。
【符号の説明】
【００４８】
１…表示情報生成サーバ装置
２…画像表示システム
３…レジスタ情報管理部
４…天気サーバ
１１…情報分析部
１２…陳列画像生成部
１３…店舗分析データベース
１４…陳列画像データベース
２１…画像情報制御部
２２…画像表示部
３１…レジスタ情報入出力部
３２…レジスタ情報記憶部
１００…ネットワーク
【図１】
2018020658.tif 000003
【図２】
2018020658.tif 000004
【図３】
2018020658.tif 000005
【図４】
2018020658.tif 000006
【図５】
2018020658.tif 000007
【図６】
2018020658.tif 000008
【図７】
2018020658.tif 000009
【図８】
2018020658.tif 000010
【国際調査報告】
2018020658.tif 000011
2018020658.tif 000012
2018020658.tif 000013
2018020658.tif 000014